(57)【要約】【課題】  人差し指と親指の間にしっくりと馴染んで持ち易く、また食卓面で転がりにくく、更には美感を高めて高級感や斬新さを醸し出すことができる箸を提供する。【解決手段】  人差し指１と親指２との間に配置する基端側部分３の外周面を、旋回する帯状の筋４を複数備えて螺旋形状に形成する。この場合、本考案は、基端側部分３以外の部分５を、棒６の長手方向に沿って延びる直線状部分７を周方向に複数備えて横断面多角形状に形成し、この各直線状部分７に帯状の筋４を夫々連ねて形成するのが良い。また本考案は、帯状の筋４を、棒６の基端から先端に向かって徐々に幅狭状に形成するのが好ましい。【選択図】  図１
0003195170.tif 000002
【実用新案登録請求の範囲】
【請求項１】
人差し指と親指との間に配置される基端側部分の外周面が、旋回する帯状の筋を複数備えて螺旋形状に形成されていることを特徴とする箸。
【請求項２】
請求項1記載の箸であって、基端側部分以外の部分が、棒の長手方向に沿って延びる直線状部分を周方向に複数備えて横断面多角形状に形成され、この各直線状部分に帯状の筋が夫々連ねられていることを特徴とする箸。
【請求項３】
請求項１又は２記載の箸であって、帯状の筋が、棒の基端から先端に向かって徐々に幅狭状に形成されていることを特徴とする箸。
【考案の詳細な説明】
【技術分野】
【０００１】
本考案は、手に馴染んで持ち易く、また転がりにくいだけではなく、見た目も斬新なデザインの箸に関し、更に詳しくは基端側部分が螺旋形状に形成されている箸に関するものである。
【背景技術】
【０００２】
従来、この種の箸としては、例えば特許文献１に記載されているものがある。この従来品は、ご飯のくっつきを防止し、また麺類のように長くて柔らかいものでも摘み易くなるよう、箸の先端側の摘み部分に、複数の螺旋溝及び突起を形成しているものである。
【０００３】
而して、箸は、食べ物を摘まみ易いだけではなく、持ち易く、また食卓上で転がりにくくなるよう、形成されているのが望ましい。またユーザーの購買意欲を喚起し、商品価値を高めることができるよう、形状が斬新で面白みがあるよう形成されているのが望ましい。
【０００４】
しかるに、従来品は、ご飯のくっつきを防止できる等の利点を有するのに止まり、持ち易さ等の上記の諸問題を解消できるものではなかった。
【先行技術文献】
【特許文献】
【０００５】
【特許文献１】実用新案登録第３１８０３８８号公報
【考案の概要】
【考案が解決しようとする課題】
【０００６】
本考案は、このような従来技術の問題点に鑑み、提案されたものである。
従って、本考案の解決しようとする技術的課題は、人差し指と親指の間にしっくりと馴染んで持ち易く、また食卓面で転がりにくく、更には美感を高めて高級感や斬新さを醸し出すことができるよう形成した箸を提供することにある。
【課題を解決するための手段】
【０００７】
本考案は、上記の課題を解決するため、次のような技術的手段を採る。
即ち、本考案は、図１等に示されるように、人差し指１と親指２との間に配置される基端側部分３の外周面が、旋回する帯状の筋４を複数備えて螺旋形状に形成されていることを特徴とする（請求項１）。
【０００８】
この場合、本考案は、基端側部分３以外の部分５が、棒６の長手方向に沿って延びる直線状部分７を周方向に複数備えて横断面多角形状に形成され、この各直線状部分７に帯状の筋４が夫々連ねられているのが好ましい（請求項２）。
【０００９】
なぜならこれによると、指の腹を直線状部分７にフィットでき、一層持ち易くなるからである。
【００１０】
また本考案は、帯状の筋４が、棒６の基端から先端に向かって徐々に幅狭状に形成されているのが好ましい（請求項３）。
【００１１】
なぜならこれによると、基端側部分３を先細り状に形成でき、人差し指１と親指２との間に基端側部分３が更に馴染んで一層持ち易くなるからである。
【考案の効果】
【００１２】
本考案は、このように人差し指と親指との間に配置される基端側部分の外周面が、旋回する帯状の筋を複数備えて螺旋形状に形成されている。
【００１３】
従って、本考案によれば、基端側部分が人差し指と親指の間にしっくりと馴染んで持ち易く、また食卓面で転がりにくくなり、更には美感が高まって高級感や斬新さを醸し出すことができる、という実用上優れた効果を奏する。
【図面の簡単な説明】
【００１４】
【図１】本考案の好適な一実施形態を示す使用状態時の斜視図である。
【図２】同上箸の正面図である。
【図３】図２のＩＩＩ−ＩＩＩ線における断面図である。
【図４】図２のＩＶ−ＩＶ線における断面図である。
【図５】同上箸の平面図である。
【考案を実施するための形態】
【００１５】
以下、本考案を実施するための好適な一実施形態を、添付図面に従って説明する。
本考案は、図１等に示されるように、人差し指１と親指２との間に配置される基端側部分３の外周面が、旋回する帯状の筋４を複数備えて螺旋形状に形成されている。
【００１６】
またこの実施形態の場合、基端側部分３以外の部分５は、棒６の長手方向に沿って延びる直線状部分７を周方向に複数備えて横断面多角形状に形成され、この各直線状部分７に帯状の筋４が夫々連ねられている。
【００１７】
棒６の材質は、この実施形態では黒檀であり、表面が磨かれて、つや出し加工されている。また帯状の筋４と直線状部分７は、棒６の基端から先端に向かって徐々に幅狭状に形成されている。これにより棒６は、基端側が太く、先端に向かって細くなるよう先細り状に形成されている。
【００１８】
従って、この実施形態の本考案品は、帯状の筋４によって基端側部分３が人差し指１と親指２との間に馴染む。またこれによると、直線状部分７に、親指２や人差し指１等の指の腹をフィットでき、一層持ち易くなるものである。
【００１９】
また帯状の筋４は、この実施形態では図３等に示されるように、棒６の軸心を中心に６０度づつずらされて同じ幅で６本形成されている。またこの筋４は、同図に示されるように、上から見て凹湾曲面状に形成され、筋４と筋４の間の稜線８が盛り上げられている。
【００２０】
而して、本考案は、このように形成されているから、使用者は、人差し指１と親指２との間に棒６の基端側部分３をあてがい、直線状部分７を、人差し指１、親指２、中指等の指で把持して使用する。
【００２１】
この場合、本考案は、基端側部分３が螺旋状に形成されているため、人差し指１と親指２との間に基端側部分３が馴染み、また各指の腹を、直線状部分７にフィットできる。また本考案によると、基端側部分３によって転がりが防止され、更には基端側部分３が目を引くため美感を高めることができる。
【００２２】
以上の処において、棒６の材質は、任意であり、黒檀等の木材に代え、例えば合成樹脂材で形成されているのでも良い。従って、本考案の場合、帯状の筋４は、棒６の材質によって切削法や成型法など、適宜の加工法で形成されるので良い。
【００２３】
また本考案の場合、帯状の筋４の本数や、幅、旋回具合（旋回角度）等は自由である。
【符号の説明】
【００２４】
１      人差し指
２      親指
３      基端側部分
４      帯状の筋
５      基端側部分以外の部分
６      棒
７      直線状部分
８      稜線
【図１】
0003195170.tif 000003
【図２】
0003195170.tif 000004
【図３】
0003195170.tif 000005
【図４】
0003195170.tif 000006
【図５】
0003195170.tif 000007